(57)【特許請求の範囲】
【請求項１】
おもて面に回路層を有する積層基板と、前記回路層にはんだ接合された筒状部品と、前記筒状部品に挿入され前記筒状部品と電気的に接続される外部端子と、を備え、
前記筒状部品が、円筒部と前記円筒部の長手方向の一端に接続されたフランジ部とを有し、
前記フランジ部が、前記回路層に対向する第１突部、第２突部及び第３突部を備え、前記第１突部と第２突部の間の距離、前記第２突部と第３突部の間の距離及び前記第３突部と第１突部の間の距離がそれぞれ前記円筒部の内径よりも大きい半導体装置。
【請求項２】
前記フランジ部は、前記円筒部と接続する曲面部を内周側に、前記曲面部に接続する円盤状の平坦部を外周側にそれぞれ備え、前記第１突部、第２突部及び第３突部は前記曲面部に配置されず、前記平坦部に配置された請求項１記載の半導体装置。
【請求項３】
前記第１突部、第２突部及び第３突部が、前記フランジ部上に前記円筒部の中心軸に対して回転対称に配置された請求項２記載の半導体装置。
【請求項４】
前記第１突部、第２突部及び第３突部は、同じ形状であり、前記平坦部の外周に接して配置され、前記第１突部の端部、前記第２突部の端部及び前記第３突部の端部のそれぞれの外周側の円弧を下底とみなした略等脚台形の外形を備え、前記第１突部の端部の一の脚と、前記一の脚に対向する前記第２突部の端部の他の脚が略平行である請求項３記載の半導体装置。
【請求項５】
前記第１突部の外周側の円弧の長さが前記円筒部の内径の０．１倍以上２倍以下である請求項４記載の半導体装置。
【請求項６】
前記円筒部の中心軸を通り、前記第１突部の外形に対し前記第２突部から遠い側の一点で接する線分を第１線分とし、前記円筒部の中心軸を通り、第２突部の外形に対し第１突部から遠い側の一点で接する線分を第２線分としたとき、
前記第１突部及び前記第２突部は、前記第１線分と前記第２線分とに挟まれた領域に配置され、
前記第３突部は、前記円筒部の中心軸に対し前記第１突部及び第２突部が配置された領域とは反対側で前記第１線分と前記第２線分とに挟まれた領域に配置されている、請求項２記載の半導体装置。
【請求項７】
前記第１突部、第２突部及び第３突部が同一形状を有する請求項６記載の半導体装置。
【請求項８】
前記筒状部品が、前記円筒部の長手方向の他端に接続された他のフランジ部をさらに有する請求項１または７に記載の半導体装置。
【請求項９】
前記他のフランジ部は、前記第１突部、第２突部及び第３突部とそれぞれ同じ形状の突部が、前記第１突部、第２突部及び第３突部に対向する位置に配置されている請求項８記載の半導体装置。
【請求項１０】
前記フランジ部がさらに第ｎ突部（ｎは４以上の整数）を備える請求項６記載の半導体装置。
【請求項１１】
前記第１突部、第２突部、第３突部及び第ｎ突部が同一形状を有する請求項１０記載の半導体装置。
【請求項１２】
前記筒状部品が、前記円筒部の長手方向の他端に接続された他のフランジ部をさらに有する請求項１１記載の半導体装置。
【請求項１３】
前記他のフランジ部は、前記第１突部、第２突部、第３突部及び第ｎ突部とそれぞれ同じ形状の突起が、前記第１突部、第２突部、第３突部及び第ｎ突部に対向する位置に配置されている請求項１２記載の半導体装置。
【発明の詳細な説明】
【技術分野】
【０００１】
本発明は、筒状部品を備える半導体装置に関する。
【背景技術】
【０００２】
半導体装置のうちのパワー半導体モジュールの一例は、回路層を有する積層基板と、該回路層に電気的かつ機械的に接続された半導体チップと、該回路層の該半導体チップと同じ又は異なる領域に電気的かつ機械的に接続された外部端子とを備えている。近年、機械的応力や振動に対し長期間安定して、かつ簡易かつ安価に外部端子を積層基板に接続する技術として、積層基板の回路層にはんだで接合した筒状部品を用いたパワー半導体モジュールが提案された（特許文献１）。
【先行技術文献】
【特許文献】
【０００３】
【特許文献１】米国特許第８０８７９４３号明細書
【発明の概要】
【発明が解決しようとする課題】
【０００４】
特許文献１に記載の筒状部品を、ペーストはんだや板はんだを用いてはんだ接合する際に、溶融したはんだが飛散して筒状部品の円筒部の内面に付着し固化する場合があった。円筒部の内面に固化したはんだは、外部端子の挿入を阻害して、接触不良を招くおそれがあった。また、力ずくで外部端子を挿入すると外部端子又は筒状部品が破損するおそれがあった。
【０００５】
本発明は、このような点に鑑みてなされたものであり、筒状部品を備える半導体装置において該筒状部品のはんだ接合時にはんだが飛散するのを抑制することができる半導体装置を提供することを目的とする。
【課題を解決するための手段】
【０００６】
上記目的を達成するために、一実施態様として以下のような半導体装置が提供される。
半導体装置は、おもて面に回路層を有する積層基板と、上記回路層にはんだ接合された筒状部品と、上記筒状部品に挿入され上記筒状部品と電気的に接続される外部端子と、を備えている。上記筒状部品が、円筒部と当該円筒部の長手方向の一端に接続されたフランジ部とを有している。上記フランジ部が、上記回路層に対向する第１突部、第２突部及び第３突部を備えている。上記第１突部と第２突部の間の距離、上記第２突部と第３突部の間の距離及び上記第３突部と第１突部の間の距離が、それぞれ上記円筒部の内径よりも大きい。
【発明の効果】
【０００７】
本発明によれば、筒状部品を備える半導体装置において該筒状部品のはんだ接合時にはんだが飛散するのを抑制することができる。
【図面の簡単な説明】
【０００８】
【図１】本発明の製造方法により製造された半導体モジュールの一例の部分断面を示す正面図である。
【図２】図１の半導体モジュールの要部の拡大断面図である。
【図３】筒状部品の斜視図である。
【図４】外部端子を筒状部品に挿入した平面図である。
【図５】外部端子が挿入された筒状部品の断面図である。
【図６】筒状部品の第１フランジ部の平面図である。
【図７】図６の筒状部品の第１フランジ部の平面図である。
【図８】別の筒状部品の第１フランジ部の平面図である。
【図９】図８の筒状部品の第１フランジ部の平面図である。
【図１０】別の筒状部品の第１フランジ部の平面図である。
【図１１】図１０の筒状部品の第１フランジ部の平面図である。
【図１２】従来の筒状部品のフランジ部の平面図である。
【図１３】外部端子が挿入された図１２の筒状部品の断面図である。
【発明を実施するための形態】
【０００９】
（実施形態１）
本発明の半導体装置の実施形態を、図面を用いて具体的に説明する。
図１は本発明の半導体装置の一実施形態である、パワー半導体モジュール１の一例の片側断面図である。図２は、図１のパワー半導体モジュール１の要部の拡大断面図である。
【００１０】
パワー半導体モジュール１は、おもて面に回路層２ｂを有する積層基板２と、回路層２ｂにはんだ接合された筒状部品６と、筒状部品６に挿入され筒状部品６と電気的に接続される外部端子７と、を備えている。積層基板２上に、半導体素子として少なくとも一個、図示した実施形態では４個の半導体チップ３Ａ、３Ｂ、３Ｃ及び３Ｄが搭載されている。半導体チップ３Ａ、３Ｂ、３Ｃ及び３Ｄは、例えばＩＧＢＴ（ＩｎｓｕｌａｔｅｄＧａｔｅ  Ｂｉｐｏｌａｒ  Ｔｒａｎｓｉｓｔｏｒ）チップやＦＷＤ（Ｆｒｅｅ  Ｗｈｅｅｌｉｎｇ  Ｄｉｏｄｅ）チップとすることができる。ＩＧＢＴに替えてＭＯＳＦＥＴチップを用いてもよいし、ＩＧＢＴチップ及びＦＷＤチップに替えてＲＣ−ＩＧＢＴチップを用いてもよい。積層基板２は、酸化アルミニウム、窒化アルミニウム、窒化けい素等の絶縁性セラミックスよりなる絶縁板２ａと、絶縁板２ａのおもて面に配置され銅箔やアルミニウム箔等の導体が選択的に形成されて回路を構成している回路層２ｂと、絶縁板２ａの裏面に配置され銅箔やアルミニウム箔等よりなる金属層２ｃとが積層されてなる。積層基板２は、絶縁板２ａと回路層２ｂと金属層２ｃとを直接接合したＤＣＢ（Ｄｉｒｅｃｔ  Ｃｏｐｐｅｒ  Ｂｏｎｄ）基板やＡＭＢ基板（Ａｃｔｉｖｅ  Ｍｅｔａｌ  Ｂｏｎｄｉｎｇ）等を用いることができる。
【００１１】
半導体チップ３Ａ、３Ｂ、３Ｃ及び３Ｄは、おもて面及び裏面に電極を有し、裏面の電極は、はんだ４によって回路層２ｂに電気的かつ機械的に接続され、おもて面の電極は、銅又はアルミニウム等のボンディングワイヤやリードフレーム５により、回路層２ｂと電気的に接続されている。
【００１２】
積層基板２の回路層２ｂに、筒状部品６がはんだ４で接合されている。筒状部品６は、導電性の材料、例えば銅製である。筒状部品６に外部端子７の一方の端部が挿入されて固定されている。
【００１３】
回路層２ｂに半導体チップ３Ａ、３Ｂ、３Ｃ及び３Ｄが電気的かつ機械的に接合され、筒状部品６が接合され、ボンディングワイヤ５が接続された積層基板２は、ケース８内に収容されている。ケース８は、該ケース８の下端が積層基板２の周縁部と接着剤（図示せず）により接着されて固定されている。ケース８の上蓋部よりも内側の空間にゲル９が充填され、これによりケース８内が封止されている。ケース８から外部端子７の他方の端部が突出している。
【００１４】
図３に斜視図を示すように、筒状部品６は、中空の円筒部６１と、円筒部６１の長手方向の一端に接続された第１フランジ部６２と他端に接続された第２フランジ部６３とを有している。図３に示した筒状部品６は、第１フランジ部６２と第２フランジ部６３とが同一形状を有しているから、筒状部品６のフランジ部について第１フランジ部６２で代表させて以下説明する。
【００１５】
第１フランジ部６２は、回路層２ｂに対向する部分である。第１フランジ部６２は、円筒部６１と接続する曲面部６４を内周側に有し、曲面部６４に接続する平坦部６５を外周側に有している。第１フランジ部６２は、平坦部６５から回路層２ｂに対向するように突出した第１突部６６、第２突部６７及び第３突部６８を更に有している。第１突部６６、第２突部６７及び第３突部６８の、平坦部６５の表面からの高さは、第１フランジ部６２を回路層２ｂにはんだ接合したときに第１突部６６、第２突部６７及び第３突部６８が回路層２ｂに近接し、平坦部６５と回路層２ｂとの間で十分なはんだ厚が確保されるような高さとしている。
【００１６】
第１突部６６、第２突部６７及び第３突部６８は、図６を用いて後で詳しく述べるが、第１突部６６と第２突部６７の間の距離Ｌ１、第２突部６７と第３突部６８の間の距離Ｌ２及び第３突部６８と第１突部６６の間の距離Ｌ３がそれぞれ円筒部６１の内径Ｄよりも大きい配置としている。第１突部６６、第２突部６７及び第３突部６８は、それぞれ第１フランジ部６２の外周に接するように平坦部６５に配置されていて、曲面部６４には配置されていない。
【００１７】
筒状部品６は、回路層２ｂに対してはんだ接合されて、第１フランジ部６２を回路層２ｂに対向させ円筒部６１の中心軸が回路層２ｂに垂直になるように固定される。第１突部６６、第２突部６７及び第３突部６８は回路層２ｂに近接し、平坦部６５は回路層２ｂとの間のはんだ厚を確保している。また、平坦部６５は、はんだ接合時にペーストはんだ中のフラックスや板はんだ中のガスの排出路になる。平坦部６５の主面は、円筒部６１の中心軸と直交し、回路層２ｂの主面と平行であってもよい。
【００１８】
はんだ接合された筒状部品６の円筒部６１に外部端子７が挿入して固定される。図４に筒状部品６の平面図を示すように外部端子７は、対角線長さが円筒部６１の内径よりも若干大きな、多角形の横断面形状、例えば四角形の横断面形状を有している。外部端子７は非円形の横断面形状を有してもよい。外部端子７を筒状部品６に挿入するときに外部端子７の角部で円筒部６１を若干塑性変形させること、換言すれば、かしめることにより、外部端子７を筒状部品６に信頼性高く接続することができる。
図５に外部端子７が挿入された筒状部品６の断面図を示す。回路層２ｂと第１フランジ部６２とは、介在したはんだ４により電気的かつ機械的に接続されている。
【００１９】
図６に、筒状部品６の第１フランジ部６２を平面図で示す。第１突部６６と第２突部６７との間の距離Ｌ１、第２突部６７と第３突部６８との間の距離Ｌ２及び第３突部６８と第１突部６６との間の距離Ｌ３がそれぞれ円筒部６１の内径Ｄよりも大きい配置としている。距離Ｌ１は、図示した第１フランジ部６２の平面図において、第１突部６６の輪郭上の一点と第２突部６７の輪郭上の一点とを結ぶ線分が最短距離である場合の距離をいう。同様に、距離Ｌ２は、第１フランジ部６２の平面図において第２突部６７の輪郭上の一点と第３突部６８の輪郭上の一点とを結ぶ線分が最短距離である場合の距離をいう。距離Ｌ３は、第１フランジ部６２の平面図において第３突部６８の輪郭上の一点と第１突部６６の輪郭上の一点とを結ぶ線分が最短距離である場合の距離をいう。
【００２０】
距離Ｌ１が円筒部６１の内径Ｄよりも大きく、距離Ｌ２が内径Ｄよりも大きく、距離Ｌ３が円筒部６１の内径Ｄよりも大きいことにより、筒状部品のはんだ接合時にはんだが飛散するのを抑制することができる。これは以下の理由と考えられる。
はんだ接合時に第１突部６６〜第３突部６８は回路層２ｂに近接しているので、回路層２ｂと第１フランジ部６２との接合時にフラックスやガスは平坦部６５を通って第１フランジ部６２の外方又は円筒部６１へ抜ける。したがって、第１フランジ部６２における平坦部６５及び第１突部６６〜第３突部６８の形状は、はんだ接合時のフラックスやガスの抜け具合に影響を及ぼす。
【００２１】
図１２にフランジ部の平面図で示すように、特許文献１の図１に示された筒状部品１０６は、フランジ部１６２の平坦部１６５に円弧状の３個の突部１６６、１６７、１６８を、フランジ部１６２の外周に沿って備えている。突部１６６と突部１６７との間の距離Ｌ１、突部１６７と突部１６８との間の距離Ｌ２、突部１６８と突部１６６との間の距離Ｌ３は、内径Ｄよりも小さい。このような突部１６６、突部１６７、突部１６８を有するフランジ部１６２を備えた筒状部品１０６は、距離Ｌ１、距離Ｌ２、距離Ｌ３、換言すれば隣り合う突部の間の平坦部の幅が小さいので、はんだ接合時にフラックスやガスは、フランジ部１６２の外周から外方に抜ける量が制限され、主に円筒部１６１へ抜ける。したがって、フラックスやガスの多くは、円筒部１６１の端部で溶融しているはんだを通して円筒部１６１の中空部に排出される。このときのガス圧が高くなるため、円筒部１６１の端部で溶融しているはんだが、フラックスやガスの排出と同時に飛散して円筒部１６１の内面に付着して固化することがあった。図１３（ａ）に筒状部品１０６の断面図を、図１３（ｂ）に外部端子７が挿入された筒状部品１０６の断面図を示す。筒状部品１０６は、円筒部１６１の長手方向の一端にフランジ部１６２が接続され、他端にフランジ部１６３が接続されている。筒状部品１０６は、円筒部１６１の内面にはんだ４が飛散し、外部端子７の挿入を阻害することがあった。
【００２２】
特許文献１の図９に一形態として示された筒状部品は、略四角状の突部を３個、フランジ部に放射状に備えている。この３個の突部は、隣り合う突部との距離が図１２に示した筒状部品よりも大きいが、内径よりも小さい。また、各突部はフランジ部の外周から内周付近にわたる長さで放射状に配置されているから、筒状部品の製造時にフランジ部を形成する曲げ加工や突部を形成するプレス加工が難しかった。その結果、歩留まりの低下やコストアップを招くおそれがあった。
【００２３】
これに対して、図６に示した本実施形態における筒状部品６は、先に述べた距離Ｌ１、距離Ｌ２及び距離Ｌ３が、それぞれ円筒部６１の内径Ｄよりも大きいことから、はんだ接合時にフラックスやガスは、フランジ外周から外方に抜ける量が多い。したがって、円筒部の中空部に排出されるフラックスやガスのガス圧は低く、円筒部の端部で溶融しているはんだが、フラックスやガスの排出と同時に飛散するのを抑制することができる。
【００２４】
また、筒状部品６は、第１突部６６、第２突部６７及び第３突部６８が、第１フランジ部６２の曲面部６４には配置されず、平坦部６５のみに配置されていて、かつ、平坦部６５の外周、換言すれば第１フランジ部６２の外周に接して配置されている。第１突部６６、第２突部６７及び第３突部６８が、第１フランジ部６２の曲面部６４に配置されていないので、フランジ部を形成する曲げ加工や突部を形成するプレス加工が容易である。その結果、歩留まりの向上やコスト低下が得られる。また、接合前に治具を用いて筒状部品６を回路層２ｂ上に配置したときの安定性が良好である。
【００２５】
図６に示した筒状部品６は、より具体的には第１突部６６、第２突部６７及び第３突部６８が、第１フランジ部６２上で、円筒部６１の中心軸に対して回転対称に配置されている。これにより、突部を形成するプレス金型の設計、製作が容易であり、接合前に治具を用いて筒状部品６を回路層２ｂ上に配置したときの安定性が良好である。
【００２６】
筒状部品６の第１突部６６、第２突部６７及び第３突部６８は、同じ形状を有している。同一形状を有していることにより、これらの突部を形成するプレス金型の設計、製作が容易である。
【００２７】
筒状部品６の第１突部６６、第２突部６７及び第３突部６８は、より具体的には、図７に第１フランジ部６２の平面図を示すように、円筒部６１の中心軸方向から見たとき、第１フランジ部６２の内周側の円弧又は線分６６ａ、６７ａ、６８ａを上底とみなし、フランジ外周側の円弧６６ｂ、６７ｂ、６８ｂを下底とみなした略等脚台形の外形を備えている。第１突部６６における第２突部６７に対向する側の一つの脚６６ｄと、第２突部６７における第１突部６６に対向する側の一つの脚６７ｃとは、略平行である。同様に、第２突部６７における第３突部６８に対向する側の一つの脚６７ｄと、第３突部６８における第２突部６７に対向する側の一つの脚６８ｃとは、略平行である。第３突部６８における第１突部６６に対向する側の一つの脚６８ｄと、第１突部６６における第３突部６８に対向する側の一つの脚６６ｃとは、略平行である。筒状部品６は、第１突部６６、第２突部６７及び第３突部６８が略等脚台形の外形を備え、対向する突部の脚が略平行であることにより、はんだ接合時にフラックスやガスが、第１フランジ部６２の外周から外方に容易に抜けることができ、よって円筒部６１の内面にはんだが飛散するのを抑制することができ、また、第１突部６６、第２突部６７及び第３突部６８をプレス加工で形成するプレス金型の設計、製作が容易であり、更にプレス金型を用いて略等脚台形の外形を良好に付与することができる。
【００２８】
上述した略等脚台形の外形を備えている第１突部６６、第２突部６７及び第３突部６８は、下底とみなしたフランジ外周側の円弧６６ｂ、６７ｂ、６８ｂの長さｂ１、ｂ２及びｂ３は、円筒部６１の内径Ｄの０．１倍以上２倍以下であることが好ましい。ｂ１、ｂ２及びｂ３が内径Ｄの０.１倍以上２倍以下である場合に優れたフラックス、ガス排出性と、優れた筒状部品の支持性とを兼ね備えている。
【００２９】
（実施形態２）
本発明の実施形態２のパワー半導体モジュールは、先に述べた実施形態１のパワー半導体モジュールとは、筒状部品のみが相違しているので、以下では特徴的な筒状部品を説明する。図８に、本実施形態の筒状部品のフランジ部の平面図を示す。なお、図８の筒状部品について、図６に示した筒状部品６と同一部材には同一の符号を付しており、以下では重複する説明を省略する。
【００３０】
図８に示す筒状部品１６は、第１フランジ部６２Ａに３つの突部である、第１突部６６Ａ、第２突部６７Ａ及び第３突部６８Ａを備える。第１突部６６Ａ、第２突部６７Ａ及び第３突部６８Ａは、図６に示した筒状部品６の第１突部６６、第２突部６７及び第３突部６８とは、形状、大きさ、配置が相違している。第１突部６６Ａ、第２突部６７Ａ及び第３突部６８Ａは円形を有している。第１突部６６Ａと第２突部６７Ａの間の距離Ｌ１、第２突部６７Ａと第３突部６８Ａの間の距離Ｌ２及び第３突部６８Ａと第１突部６６Ａの間の距離Ｌ３は、円筒部６１の内径Ｄよりも大きい。距離Ｌ１、距離Ｌ２及び距離Ｌ３が円筒部６１の内径Ｄよりも大きいことにより、筒状部品のはんだ接合時にはんだが飛散するのを抑制することができる。
【００３１】
第１突部６６Ａ、第２突部６７Ａ及び第３突部６８Ａは、第１フランジ部６２Ａの曲面部６４には配置されず、平坦部６５のみに配置され、かつ、第１フランジ部６２Ａの平坦部６５の内周端と外周端との間に配置されている。第１突部６６Ａ、第２突部６７Ａ及び第３突部６８Ａが、第１フランジ部６２Ａの曲面部６４に配置されていないことにより、フランジ部を形成する曲げ加工や突部を形成するプレス加工が容易である。その結果、歩留まりの向上やコスト低下が得られる。
【００３２】
第１フランジ部６２Ａ上における第１突部６６Ａ、第２突部６７Ａ及び第３突部６８Ａの配置を、図９を用いてより具体的に説明する。円筒部６１の中心軸Ｃを通り、第１突部６６Ａの外形に対し第２突部６７Ａから遠い側の一点で接する線分を第１線分Ｓ１とし、円筒部６１の中心軸Ｃを通り、第２突部６７Ａの外形に対し第１突部６６Ａから遠い側の一点で接する線分を第２線分Ｓ２とする。第１線分Ｓ１は第１突部６６Ａの輪郭上の一点に、第２線分Ｓ２は第２突部６７Ａの輪郭上の一点に、それぞれ接する。第１突部６６Ａ及び第２突部６７Ａは、第１線分Ｓ１と第２線分Ｓ２とに挟まれた領域Ａに配置されている。第３突部６８Ａは、円筒部６１の中心軸Ｃに対し領域Ａとは反対側で第１線分Ｓ１と第２線分Ｓ２とに挟まれた領域Ｂに配置されている。領域Ａ，Ｂは第１フランジ部６２Ａ上の領域である。
【００３３】
図９の筒状部品１６の第１突部６６Ａ、第２突部６７Ａ及び第３突部６８Ａは、円筒部６１の中心軸Ｃに対して回転対称に配置されていない。第１突部６６Ａ及び第２突部６７Ａが領域Ａに配置され、第３突部６８Ａが領域Ｂに配置されていることにより、接合前に治具を用いて筒状部品１６を回路層２ｂ上に配置したときに筒状部品１６が第１突部６６Ａ、第２突部６７Ａ及び第３突部６８Ａの三点で支持され、安定性が良好である。
【００３４】
筒状部品１６の第１突部６６Ａ、第２突部６７Ａ及び第３突部６８Ａの大きさは同一である。もっとも、３個の突部のうちの１個の大きさが他の２個と異なっていてもよく、すべての突部の大きさが異なっていてもよい。
【００３５】
第１突部６６Ａ、第２突部６７Ａ及び第３突部６８Ａは、円形の同一外形を備えている。同一形状を有していることにより、これらの突部を形成するプレス金型の設計、製作が容易である。これらの突部の外形は、円形に限定されず、四角形等の任意の外形を備えることができる。また、３個の突部のうちの１個の形状が他の２個と異なっていてもよく、すべての突部の形状が異なっていてもよい。
【００３６】
（実施形態３）
本発明の実施形態３のパワー半導体モジュールは、先に述べた実施形態１のパワー半導体モジュールとは、筒状部品のみが相違しているので、以下では特徴的な筒状部品を説明する。図１０に、本実施形態の筒状部品のフランジ部の平面図を示す。なお、図１０の筒状部品について、図６に示した筒状部品６と同一部材には同一の符号を付しており、以下では重複する説明を省略する。
【００３７】
図１０に示す筒状部品２６は、第１フランジ部６２Ｂに、第１突部〜第ｎ突部（ｎは４以上の整数）を備える例であって、図示した例は具体的にｎが４である場合である。
第１フランジ部６２Ｂは、第１突部６６Ｂ、第２突部６７Ｂ、第３突部６８Ｂ及び第４突部６９Ｂを備えている。これらの突部はそれぞれ略四角形を有している。第１突部６６Ｂと第２突部６７Ｂの間の距離Ｌ１、第２突部６７Ｂと第３突部６８Ｂの間の距離Ｌ２及び第３突部６８Ｂと第１突部６６Ｂの間の距離Ｌ３は、円筒部６１の内径Ｄよりも大きい。距離Ｌ１、距離Ｌ２及び距離Ｌ３が円筒部６１の内径Ｄよりも大きいことにより、筒状部品のはんだ接合時にはんだが飛散するのを抑制することができる。
【００３８】
第１突部６６Ｂ、第２突部６７Ｂ、第３突部６８Ｂ及び第４突部６９Ｂは、第１フランジ部６２Ｂの曲面部６４には配置されず、平坦部６５のみに配置されていて、かつ、平坦部６５の外周、換言すれば第１フランジ部６２Ｂの外周に接して配置されている。第１突部６６Ｂ、第２突部６７Ｂ、第３突部６８Ｂ及び第４突部６９Ｂが、第１フランジ部６２Ｂの曲面部６４に配置されていないことにより、フランジ部を形成する曲げ加工や突部を形成するプレス加工が容易である。その結果、歩留まりの向上やコスト低下が得られる。また、これらの突部が、第１フランジ部６２Ｂの外周に接して配置されていることにより、突部を形成するプレス加工が容易である。
【００３９】
第１フランジ部６２Ｂ上における第１突部６６Ｂ、第２突部６７Ｂ、第３突部６８Ｂ及び第４突部６９Ｂの配置を、図１１を用いてより具体的に説明する。第１フランジ部６２Ｂ上において、円筒部６１の中心軸Ｃを通り、第１突部６６Ｂの外形に対し第２突部６７Ｂから遠い側の一点で接する線分を第１線分Ｓ１とし、円筒部６１の中心軸Ｃを通り、第２突部６７Ｂの外形に対し第１突部６６Ｂから遠い側の一点で接する線分を第２線分Ｓ２とする。第１線分Ｓ１は第１突部６６Ｂの輪郭上の一点に、第２線分Ｓ２は第２突部６７Ｂの輪郭上の一点に、それぞれ接する。第１突部６６Ｂ及び第２突部６７Ｂは、第１線分Ｓ１と第２線分Ｓ２とに挟まれた領域Ａに配置されている。第３突部６８Ｂは、円筒部６１の中心軸Ｃに対し領域Ａとは反対側で第１線分Ｓ１と第２線分Ｓ２とに挟まれた領域Ｂに配置されている。領域Ａ，Ｂは第１フランジ部６２Ｂ上の領域である。
【００４０】
第１突部６６Ｂ及び第２突部６７Ｂが領域Ａに配置され、第３突部６８Ｂが領域Ｂに配置されていることにより、接合前に治具を用いて筒状部品１６を回路層２ｂ上に配置したときに筒状部品２６が第１突部６６Ｂ、第２突部６７Ｂ及び第３突部６８Ｂの三点で支持され、安定性が良好である。
【００４１】
第１突部６６Ｂ及び第２突部６７Ｂが領域Ａに配置され、第３突部６８Ｂが領域Ｂに配置されていれば、第４突部６９Ｂは、第１フランジ部６２Ｂの平坦部６５上の任意の位置に配置することができる。図１０に示した筒状部品２６では、第４突部６９Ｂは、第１フランジ部６２Ｂの外周の円弧上で、第１突部６６Ｂと第３突部６８Ｂとの間に配置されている。
【００４２】
第１突部６６Ｂ、第２突部６７Ｂ、第３突部６８Ｂ及び第４突部６９Ｂの大きさは同一である。もっとも、４個の突部のうちの１又は２個の大きさが他の２又は３個と異なっていてもよく、すべての突部の大きさが異なっていてもよい。
【００４３】
第１突部６６Ｂ、第２突部６７Ｂ、第３突部６８Ｂ及び第４突部６９Ｂは、円形の同一形状を備えている。同一形状を有していることにより、これらの突部を形成するプレス金型の設計、製作が容易である。これらの突部の外形は、略四角形に限定されず、任意の外形を備えることができる。また、４個の突部のうちの１又は２個の形状が他の２又は３個と異なっていてもよく、すべての突部の形状が異なっていてもよい。
【００４４】
図１０においては、第ｎ突部のｎが４である場合について説明したが、ｎが５以上である場合についても、第１突部及び第２突部が領域Ａに配置され、第１突部及び第２突部以外の突部として定義される第３突部が領域Ｂに配置されれば、第ｎ突部は、第１フランジ部６２Ｂの平坦部６５上の任意の位置に配置することができる。また、ｎが５以上であっても、各突部は同一形状を有することにより、突部を形成するプレス金型の設計、製作が容易である。
【００４５】
図６、図８及び図１０に示した筒状部品６、１６、２６は、円筒部６１の長手方向の一端に第１フランジ部６２、６２Ａ、６２Ｂが接続され、他端に第２フランジ部６３が接続されている。第２フランジ部６３は積層基板２の回路層には接合されないから必須の部分ではなく、第１フランジ部６２、６２Ａ、６２Ｂを有し、第２フランジ部６３を有しない筒状部品とすることもできる。もっとも、第２フランジ部６３を有することは、外部端子７の挿入を容易にし、また、筒状部品を回路層２ｂ上に配置するための治具内での部品のがたつきを少なくする。
【００４６】
更に、第２フランジ部６３に、第１フランジ部６２、６２Ａ、６２Ｂに有するのと同様の本発明に従う突部を有する筒状部品とすることは好ましい。第１フランジ部６２、６２Ａ、６２Ｂと第２フランジ部６３との形状の相違がないことにより、筒状部品を回路層２ｂ上に配置するための治具に当該筒状部品を取り付ける際に、回路層２ｂに対向させるフランジ部が第１フランジ部６２、６２Ａ、６２Ｂであるか否かを識別する必要がないので、筒状部品の接合の作業性が向上するからである。
【００４７】
第２フランジ部６３は、第１フランジ部の第１突部、第２突部及び第３突部とそれぞれ同じ形状の突部が、第１突部、第２突部及び第３突部に対向する位置に配置されていることが好ましい。これらの突部を形成するプレス金型の設計、製作が容易であるからである。第１フランジ部６２、６２Ａ、６２Ｂが第ｎ突部（ｎは４以上の整数）を備える場合には、第２フランジ部６３にも第ｎ突部（ｎは４以上の整数）を、対向する位置に配置されていることが好ましい。
【００４８】
以上、本発明の半導体装置について、図面及び実施形態によって具体的に説明したが、本発明の半導体装置は、図面及び実施形態の記載に限定されず、幾多の変形が可能である。
【符号の説明】
【００４９】
１  パワー半導体モジュール
２  積層基板
３Ａ、３Ｂ、３Ｃ、３Ｄ  半導体チップ
５  ボンディングワイヤ
６、１６、２６  筒状部品
７  外部端子
８  ケース
９  ゲル
６１  円筒部
６２、６２Ａ、６２Ｂ  第１フランジ部
６３  第２フランジ部
６４曲面部
６５平坦部
６６、６６Ａ、６６Ｂ  第１突部
６７、６７Ａ、６７Ｂ  第２突部
６８、６８Ａ、６８Ｂ  第３突部
【図１】
0006481527.tif 000002
【図２】
0006481527.tif 000003
【図３】
0006481527.tif 000004
【図４】
0006481527.tif 000005
【図５】
0006481527.tif 000006
【図６】
0006481527.tif 000007
【図７】
0006481527.tif 000008
【図８】
0006481527.tif 000009
【図９】
0006481527.tif 000010
【図１０】
0006481527.tif 000011
【図１１】
0006481527.tif 000012
【図１２】
0006481527.tif 000013
【図１３】
0006481527.tif 000014